(57)【要約】【課題】便利に携帯できると共に、何の場所でも使用できる携帯式運動装置を提供する。【解決手段】底部に収納部（１２）を有するペダルプレート（１０）（１０１）と、収納部（１２）に収納可能の制御部材（２０）と、支持部材（３０）とを備え、制御部材（２０）はペダルプレート（１０）（１０１）の間に設けられると共に、固定ボタン（２１）と、係合プレート（２４）と、取付ロッド（２５）と、連接ロッド（２８）とを備え、連接ロッド（２８）がペダルプレート（１０）（１０１）の底部と連接され、固定ボタン（２１）と取付ロッド（２５）が回転自由のように連接され、取付ロッド（２５）の中段に支持軸（２７）が設けられ、支持部材（３０）は支持軸（２７）と連接できる少なくとも二本の支持ロッド（３１）を有することを特徴とする携帯式運動装置【選択図】        図１
2004215749.tif 000002
【特許請求の範囲】
【請求項１】
底部に収納部（１２）を有するペダルプレート（１０）（１０１）と、収納部（１２）に収納可能の制御部材（２０）と、支持部材（３０）（４０）とを備え、
制御部材（２０）はペダルプレート（１０）（１０１）の間に設けられると共に、固定ボタン（２１）と、取付ロッド（２５）と、連接ロッド（２８）とを備え、連接ロッド（２８）がペダルプレート（１０）（１０１）の底部と連接され、固定ボタン（２１）と取付ロッド（２５）が回転自由のように連接され、取付ロッド（２５）の中段に支持軸（２７）が設けられ、固定ボタン（２１）の上面に指で回転できる捏圧ブロック（２１１）が設置されると共に、下面にねじロッド（２２）が設けられ、
支持部材（３０）（４０）は支持軸（２７）と連接できる少なくとも二本の支持ロッド（３１）（４１）（４４）を有することを特徴とする携帯式運動装置。
【請求項２】
ペダルプレート（１０）（１０１）は長方形のプレートであり、周縁に壁（１１）が設けられると共に、収納部（１２）が形成され、上面に複数の顆粒（１３）が設けられ、ペダルプレート（１０）（１０１）との相対側の上面に係合凹部（１４）が形成されると共に、係合凹部（１４）の一側に凹部（１５）が形成され、係合凹部（１４）付近の壁（１１）に係合孔（１６）が形成され、収納部（１２）の内部に係合孔（１６）に対する位置決めプレート（１７）が設置され、
制御部材（２０）は少なくとも固定ボタン（２１）と、係合プレート（２４）と、取付ロッド（２５）と、連接ロッド（２８）とを備え、固定ボタン（２１）の上面に指で回転できる捏圧ブロック（２１１）が設置されると共に、下面にねじロッド（２２）が設けられ、該ねじロッド（２２）の底部に半ボール状の収納凹部（２３）が形成され、
係合プレート（２４）は長方形のプレートであり、その短辺に円弧状の係合端（２４０）が設けられると共に、長辺に直線側（２４１）であり、その係合端（２４０）がペダルプレート（１０）（１０１）における係合凹部（１４）に係合され、係合プレート（２４）の中央にねじロッド（２２）の外径より大きい内径を有する貫通孔（２４２）が形成され、底面にペダルプレート（１０）（１０１）における凹部（１５）に嵌合できる位置決めブロック（２４３）が設置され、取付ロッド（２５）の上端にはボール（２６）と頚部（２６１）が設けられ、中段には外側に複数の取付溝（２７１）を有すると共に、下方へ開口する支持軸（２７）が設けられ、連接ロッド（２８）の中央にはねじロッド（２２）と螺合できる内径が大きい貫通孔（２８１）と、内径が小さい係合孔（２８２）が形成され、頚部（２６１）と支持軸（２７）が係合孔（２８２）を通過すると共に、ボール（２６）を貫通孔（２８１）に位置決めることにより、ボール（２６）の上部が固定ボタン（２１）の収納凹部（２３）に収納し、連接ロッド（２８）の両端に位置決めプレート（１７）を位置決めるために位置決め溝（２８３）が形成され、外側に複数の位置決め孔（２８４）が形成され、連接ロッド（２８）はＣ字形の固定部材（２９）によってペダルプレート（１０）（１０１）と連接され、固定部材（２９）の両端にペダルプレート（１０）（１０１）における係合孔（１６）と係合できる固定フック（２９１）が設けられることを特徴とする請求項１に記載の携帯式運動装置。
【請求項３】
支持部材（３０）は四本の支持ロッド（３１）からなり、各支持ロッド（３１）の上面に収納凹部（３１１）が形成されると共に、外端に枢設孔（３２）が形成され、内端に取付溝（２７１）に嵌合できる係合ブロック（３３）が設けられることにより、取付ロッド（２５）と連接され、収納凹部（３１１）に枢設孔（３２）と係合できる枢設ブロック（３５１）を有する活動ロッド（３５）が設置され、活動ロッド（３５）は枢設ブロック（３５１）を回転中心として上方へ回転すると共に、自由端が連接ロッド（２８）における位置決め孔（２８４）に固定されることを特徴とする請求項１又は請求項２に記載の携帯式運動装置。
【発明の詳細な説明】
【０００１】
【発明の属する技術分野】
本発明は、特に便利に携帯できると共に、何の場所でも使用できる携帯式運動装置に関するものである。
【０００２】
【従来の技術】
社会の発展と伴い、現代人の生活はますます忙しくなり、運動の時間及び空間さえなくなっていき、従って、多分の現代人は屋内の運動器具によって運動の需要を満足している。この運動器具は、例えば、ウォーカーや、サイクルマシンや、ステッパーなどがある。
【０００３】
【本発明が解決しようとする課題】
しかしながら、従来の屋内用運動器具は殆ど単一の功能だけであり、或いは単一部位の運動を行うだけであるから、使用の範囲が制限されておる。更に、従来の運動器具の体積は大きいであるから、携帯に不便である。
【０００４】
そこで、出願されたのが本発明であって、便利に携帯できると共に、何の場所でも使用できる携帯式運動装置を提供することを目的としている。
【０００５】
【課題を解決するための手段】
本願の請求項１の発明は、底部に収納部（１２）を有するペダルプレート（１０）（１０１）と、収納部（１２）に収納可能の制御部材（２０）と、支持部材（３０）（４０）とを備え、
制御部材（２０）はペダルプレート（１０）（１０１）の間に設けられると共に、固定ボタン（２１）と、係合プレート（２４）と、取付ロッド（２５）と、連接ロッド（２８）とを備え、連接ロッド（２８）がペダルプレート（１０）（１０１）の底部と連接され、固定ボタン（２１）とが取付ロッド（２５）が回転可能に連接され、取付ロッド（２５）の中段に支持軸（２７）が設けられ、
支持部材（３０）（４０）は支持軸（２７）と連接できる少なくとも二本の支持ロッド（３１）（４１）（４４）を有することを特徴とする携帯式運動装置及び、
本願の請求項２の発明は、ペダルプレート（１０）（１０１）は長方形のプレートであり、周縁に壁（１１）が設けられると共に、収納部（１２）が形成され、上面に複数の顆粒（１３）が設けられ、ペダルプレート（１０）（１０１）との相対側の上面に係合凹部（１４）が形成されると共に、係合凹部（１４）の一側に凹部（１５）が形成され、係合凹部（１４）付近の壁（１１）に係合孔（１６）が形成され、収納部（１２）の内部に係合孔（１６）に対する位置決めプレート（１７）が設置され、
制御部材（２０）は少なくとも固定ボタン（２１）と、係合プレート（２４）と、取付ロッド（２５）と、連接ロッド（２８）とを備え、固定ボタン（２１）の上面に指で回転できる捏圧ブロック（２１１）が設置されると共に、下面にねじロッド（２２）が設けられ、該ねじロッド（２２）の底部に半ボール状の収納凹部（２３）が形成され、
係合プレート（２４）は長方形のプレートであり、その短辺に円弧状の係合端（２４０）が設けられると共に、長辺に直線側（２４１）であり、その係合端（２４０）がペダルプレート（１０）（１０１）における係合凹部（１４）に係合され、係合プレート（２４）の中央にねじロッド（２２）の外径より大きい内径を有する貫通孔（２４２）が形成され、底面にペダルプレート（１０）（１０１）における凹部（１５）に嵌合できる位置決めブロック（２４３）が設置され、取付ロッド（２５）の上端にはボール（２６）と頚部（２６１）が設けられ、中段には外側に複数の取付溝（２７１）を有すると共に、下方へ開口する支持軸（２７）が設けられ、連接ロッド（２８）の中央にはねじロッド（２２）と螺合できる内径が大きい貫通孔（２８１）と、内径が小さい係合孔（２８２）が形成され、頚部（２６１）と支持軸（２７）が係合孔（２８２）を通過すると共に、ボール（２６）を貫通孔（２８１）に位置決めることにより、ボール（２６）の上部が固定ボタン（２１）の収納凹部（２３）に収納し、連接ロッド（２８）の両端に位置決めプレート（１７）を位置決めるために位置決め溝（２８３）が形成され、外側に複数の位置決め孔（２８４）が形成され、連接ロッド（２８）はＣ字形の固定部材（２９）によってペダルプレート（１０）（１０１）と連接され、固定部材（２９）の両端にペダルプレート（１０）（１０１）における係合孔（１６）と係合できる固定フック（２９１）が設けられることを特徴とする請求項１に記載の携帯式運動装置及び、
本願の請求項３の発明は、支持部材（３０）は四本の支持ロッド（３１）からなり、各支持ロッド（３１）の上面に収納凹部（３１１）が形成されると共に、外端に枢設孔（３２）が形成され、内端に取付溝（２７１）に嵌合できる係合ブロック（３３）が設けられることにより、取付ロッド（２５）と連接され、収納凹部（３１１）に枢設孔（３２）と係合できる枢設ブロック（３５１）を有する活動ロッド（３５）が設置され、活動ロッド（３５）は枢設ブロック（３５１）を回転中心として上方へ回転すると共に、自由端が連接ロッド（２８）における位置決め孔（２８４）に固定されることを特徴とする請求項１又は請求項２に記載の携帯式運動装置、
を提供する。
【０００６】
「作用」
本発明は上記の課題を解決するものであり、ポケット中に収納することができるペダルプレート（１０）（１０１）と、制御部材（２０）と、支持部材（３０）により、何の場所でも運動を行うことができ、非常に便利である。
【０００７】
【発明の実施の形態】
以下、添付図面を参照して本発明の好適な実施の形態を詳細に説明する。勿論、下記実施の形態は、本発明の好適な例を説明するに過ぎないから、本発明の技術的範囲が下記実施例そのものに何ら限定されるものではない。
【０００８】
図１は本発明に係わる携帯式運動装置の分解斜視図であり、図２は本発明に係わる携帯式運動装置の断面図であり、図３は本発明に係わる携帯式運動装置において、支持ロッドと取付ロッドとの組合状態を示す断面図であり、図４は本発明に係わる携帯式運動装置の収納している状態を示す斜視図であり、図５は本発明に係わる携帯式運動装置の使用状態を示す平面図であり、図６は本発明に係わる携帯式運動装置の使用状態を示す斜視図であり、図７は本発明に係わる携帯式運動装置の使用状態を示す他の平面図であり、図８は本発明に係わる携帯式運動装置の収納した状態を示す斜視図であり、図９は本発明に係わる携帯式運動装置の他の実施例を示す分解斜視図であり、図１０は本発明に係わる携帯式運動装置の他の実施例を示す断面図である。
【０００９】
図１乃至図３に示すように、本発明に係わる携帯式運動装置はペダルプレート（１０）（１０１）の間に制御部材（２０）が設けられると共に、制御部材（２０）の底部に支持部材（３０）が設けられ、ペダル部レート（１０）（１０１）の底部に分解された制御部材（２０）と支持部材（３０）とを収納できる収納部（１２）が形成されている。又、ペダルプレート（１０）（１０１）は一つのボックスのように組合わせることができる。
【００１０】
前記ペダルプレート（１０）（１０１）は長方形のプレートであり、周縁に壁（１１）が設けられると共に、収納部（１２）が形成され、上面に複数の顆粒（１３）が設けられると共に、中央に足部ゾーン（１３１）が形成され、足部ゾーン（１３１）における踵部の後側に、使用者の足を移動可能のために延伸ゾーン（１３２）が形成される。ペダルプレート（１０）（１０１）との相対側の上面に係合凹部（１４）が形成されると共に、係合凹部（１４）の一側に凹部（１５）が形成され、係合凹部（１４）付近の壁（１１）に係合孔（１６）が形成され、収納部（１２）の内部に係合孔（１６）に対する位置決めプレート（１７）が設置される。
【００１１】
制御部材（２０）は少なくとも固定ボタン（２１）と、係合プレート（２４）と、取付ロッド（２５）と、連接ロッド（２８）とを備え、固定ボタン（２１）の上面に指で回転できる捏圧ブロック（２１１）が設置されると共に、下面にねじロッド（２２）が設けられる。図２に示すように、該ねじロッド（２２）の底部に半ボール状の収納凹部（２３）が形成される。
【００１２】
前記係合プレート（２４）は長方形のプレートであり、その短辺に円弧状の係合端（２４０）が設けられると共に、長辺に直線側（２４１）であり、その係合端（２４０）がペダルプレート（１０）（１０１）における係合凹部（１４）に係合されることができる。係合プレート（２４）の中央にねじロッド（２２）の外径より大きい内径を有する貫通孔（２４２）が形成され、底面にペダルプレート（１０）（１０１）における凹部（１５）に嵌合できる位置決めブロック（２４３）が設置される。
【００１３】
前記取付ロッド（２５）の上端にはボール（２６）と頚部（２６１）が設けられ、中段には外側に複数の取付溝（２７１）を有すると共に、下方へ開口する支持軸（２７）が設けられる。前記連接ロッド（２８）の中央にはねじロッド（２２）と螺合できる内径が大きい貫通孔（２８１）と、内径が小さい係合孔（２８２）が形成され、頚部（２６１）と支持軸（２７）が係合孔（２８２）を通過すると共に、ボール（２６）を貫通孔（２８１）に位置決めることにより、ボール（２６）の上部が固定ボタン（２１）の収納凹部（２３）に収納することができる。連接ロッド（２８）の両端に位置決めプレート（１７）を位置決めるために位置決め溝（２８３）が形成され、外側に複数の位置決め孔（２８４）が形成される。連接ロッド（２８）はＣ字形の固定部材（２９）によってペダルプレート（１０）（１０１）と連接され、固定部材（２９）の両端にペダルプレート（１０）（１０１）における係合孔（１６）と係合できる固定フック（２９１）が設けられる。
【００１４】
支持部材（３０）は四本の支持ロッド（３１）からなり、各支持ロッド（３１）の上面に収納凹部（３１１）が形成されると共に、外端に枢設孔（３２）が形成され、内端に取付溝（２７１）に嵌合できる係合ブロック（３３）が設けられることにより、取付ロッド（２５）と連接できる。収納凹部（３１１）に枢設孔（３２）と係合できる枢設ブロック（３５１）を有する活動ロッド（３５）が設置され、活動ロッド（３５）は枢設ブロック（３５１）を回転中心として上方へ回転すると共に、自由端が連接ロッド（２８）における位置決め孔（２８４）に固定されることにより、ペダルプレート（１０）（１０１）が左右上下に揺れないと共に、前後上下に揺れることができる。
【００１５】
図４及ぶ図８に示すように、本発明に係わる携帯式運動装置はポケット中に収納することができ、分解された制御部材（２０）と支持部材（３０）が収納部（１２）の内部に収納されることができる。
【００１６】
又、図９に示すように、本発明に係わる携帯式運動装置の他の実施例は上記の実施例と殆ど同一であるが、異なる部分は支持部材（４０）は直交するように二本の支持ロッド（４１）（４４）からなり、支持ロッド（４１）の中央の上面に方形の係合溝（４２）が形成されると共に、底部に貫通孔（４２１）が形成され、支持ロッド（４４）の中央の下面に係合溝（４２）に対する係合溝（４５１）が形成されると共に、上部に貫通孔（４５１）が形成され、支持軸（２７）が貫通孔（４２１）（４５１）を貫通することにより、支持軸（２７）と支持部材（４０）とを組合わせる。
【００１７】
図１０に示すように、頚部（２６１）の外側に緩衝スプリング（２６２）と二つの半リング状プレート（２６３）（２６４）を設置することにより、ペダルプレート（１０）（１０１）に付勢力が付くと共に、ペダルプレート（１０）（１０１）が揺れた後、元の状態に回復することができる。
【００１８】
本発明に係わる携帯式運動装置の使用方式は、図２及び図５に示すように、活動ロッド（３５）が連接ロッド（２８）の位置決め孔（２８４）に位置決められると共に、係合プレート（２４）の係合端（２４０）をペダルプレート（１０）（１０１）の係合凹部（１５）に係合させることにより、ペダルプレート（１０）（１０１）が同時に前後上下に揺れることができる。又、活動ロッド（３５）が連接ロッド（２８）の位置決め孔（２８４）に位置決められると共に、係合プレート（２４）の直線側（２４１）をペダルプレート（１０）（１０１）と平行させることにより、ペダルプレート（１０）（１０１）が個別に前後上下に揺れることができる。
【００１９】
又、図２及び図６に示すように、活動ロッド（３５）を収納凹部（３１１）に収納すると共に、係合プレート（２４）の直線側（２４１）をペダルプレート（１０）（１０１）と平行させることにより、ペダルプレート（１０）（１０１）が個別に前後上下に揺れる又は同時に左右上下に揺れることができる。
【００２０】
最後に、図１、図２及び図７に示すように、活動ロッド（３５）を収納凹部（３１１）に収納すると共に、係合プレート（２４）の係合端（２４０）をペダルプレート（１０）（１０１）の係合凹部（１５）に係合させることにより、ペダルプレート（１０）（１０１）が同時に前後上下に揺れる又は左右上下に揺れることができる。
【００２１】
以上、実施例に基づき本発明を説明したが、上記実施例は、本発明の主旨を逸脱しない範囲内で種々の改良変形が可能であり、本発明の技術的範囲には、それらの改良変形も含まれることはいうまでもない。
【００２２】
なお、本発明には、以下の発明が含まれる。
底部に凹部を有する一対のペダルプレート、並びに該一対のペダルプレート相互の組合状態時に前記凹部により形成される収納部内に収納可能な制御部材及び支持部材を備え、前記制御部材には、前記ペダルプレートの分離状態時において該両ペダルプレートの底部側に夫々揺動可能に取り付け可能な連接ロッドと、該連接ロッドの軸方向中間部を支持部材に取り付けるための取付ロッドとが設けられており、前記支持部材は、前記連接ロッドを介して前記ペダルプレートを所定高さに支持するようにされており、前記ペダルプレートは、使用者の足裏が載置された状態で使用されることにより該使用者の足のストレッチ運動を促進することを特徴とする携帯式運動装置（Ａ）。
携帯式運動装置（Ａ）において、支持部材は、取付ロッドに連接されるとともに取付ロッドを介して間接に連接ロッドを支持する支持ロッドと、該支持ロッドに展開および収納可能に連接されるとともに展開状態において直接に連接ロッドを支持する活動ロッドとを備えていることを特徴とする携帯式運動装置（Ｂ）。携帯式運動装置（Ａ）または（Ｂ）において、連接ロッドは、取付ロッドに対して該取付ロッドの周方向に回転可能に取り付けられていることを特徴とする携帯式運動装置（Ｃ）。
【００２３】
【発明の効果】
本発明は上記の構造を有するので、ポケット中に収納することができるペダルプレート（１０）（１０１）と、制御部材（２０）と、支持部材（３０）により、何の場所でも運動を行うことができ、非常に便利である。
【図面の簡単な説明】
【図１】本発明に係わる携帯式運動装置の分解斜視図である。
【図２】本発明に係わる携帯式運動装置の断面図である。
【図３】本発明に係わる携帯式運動装置において、支持ロッドと取付ロッドとの組合状態を示す断面図である。
【図４】本発明に係わる携帯式運動装置の収納している状態を示す斜視図である。
【図５】本発明に係わる携帯式運動装置の使用状態を示す平面図である。
【図６】本発明に係わる携帯式運動装置の使用状態を示す斜視図である。
【図７】本発明に係わる携帯式運動装置の使用状態を示す他の平面図である。
【図８】本発明に係わる携帯式運動装置の収納した状態を示す斜視図である。
【図９】本発明に係わる携帯式運動装置の他の実施例を示す分解斜視図である。
【図１０】本発明に係わる携帯式運動装置の他の実施例を示す断面図である。
【符号の説明】
１０        ペダルプレート
１０１      ペダルプレート
１１        壁
１２        収納部
１３        顆粒
１３１      足形ゾーン
１３２      延伸ゾーン
１４        係合凹部
１５        凹部
１６        係合孔
１７        位置決めプレート
２０        制御部材
２１        固定ボタン
２１１      捏圧ブロック
２２        ねじロッド
２３        収納凹部
２４        係合プレート
２４０      係合端
２４１      直線側
２４２      貫通孔
２４３      位置決めブロック
２５        取付ロッド
２６        ボール
２６１      頚部
２６２      緩衝スプリング
２６３      半リング状プレート
２６４      半リング状プレート
２７        支持軸
２７１      取付溝
２８        連接ロッド
２８１      貫通孔
２８２      係合孔
２８３      位置決め溝
２８４      位置決め孔
２９        固定部材
２９１      固定フック
３０        支持部材
３１        支持ロッド
３１１      収納凹部
３２        枢設孔
３３        係合ブロック
３５        活動ロッド
３５１      枢設ブロック
４０        支持部材
４１        支持ロッド
４２        係合溝
４２１      貫通孔
４４        支持ロッド
４５        係合溝
４５１      貫通孔
【図１】
2004215749.tif 000003
【図２】
2004215749.tif 000004
【図３】
2004215749.tif 000005
【図４】
2004215749.tif 000006
【図５】
2004215749.tif 000007
【図６】
2004215749.tif 000008
【図７】
2004215749.tif 000009
【図８】
2004215749.tif 000010
【図９】
2004215749.tif 000011
【図１０】
2004215749.tif 000012